(57)【要約】      （修正有）【課題】インクやインクから発生する有害なガスにより腐食をおこさず、インクに侵されないインクタンクを備えるインクジェット記録装置を提供する。【解決手段】記録媒体を搬送する搬送部と、所定のインクを貯留する第一タンク５０と、第一タンクより供給されるインクを貯留する第二タンク３０と、第二タンクより供給されるインクを記録媒体に吐出するインクジェットヘッド２１と、第二タンクとインクジェットヘッドとが搭載されるキャリッジ３５と、を備えるインクジェット記録装置において、第二タンクの中の少なくとも１つのタンクの材質が樹脂含浸黒鉛材である。【選択図】図２
2018103468.tif 000002
【特許請求の範囲】
【請求項１】
記録媒体を搬送する搬送部と、
所定のインクを貯留する第一タンクと、
前記第一タンクより供給されるインクを貯留する第二タンクと、
前記第二タンクより供給されるインクを前記記録媒体に吐出するインクジェットヘッドと、
前記第二タンクと前記インクジェットヘッドとが搭載されるキャリッジと、を備えるインクジェット記録装置において、
前記第二タンクの中の少なくとも１つのタンクの材質が樹脂含浸黒鉛材である、インクジェット記録装置。
【請求項２】
前記樹脂含浸黒鉛材は、ＪＩＳ  Ｚ  ２３３３にて規定されるアンモニア漏れ試験でリークがないと判定される黒鉛材である、請求項１に記載のインクジェット記録装置。
【請求項３】
全ての前記第二タンクの材質が樹脂含浸黒鉛材である、請求項１又は２に記載のインクジェット記録装置。
【請求項４】
前記記録媒体の搬送方向に直交する方向に前記キャリッジを往復移動させる移動部を備えるシリアル型インクジェット記録装置である、請求項１〜３のいずれか１項に記載のインクジェット記録装置。
【発明の詳細な説明】
【技術分野】
【０００１】
本発明は、インクジェット記録装置に関する。
【背景技術】
【０００２】
近年、インクジェット方式によって吐出されるインクの種類が多様化しており、染料や顔料などの色材を水に溶解・分散させた水系インク以外にも、紫外線硬化型インクの他、記録媒体に様々な機能性を付与するための薬剤を含むインク（例えば、特許文献１のような布帛に立体模様を形成するための炭酸グアニジンを含むインク）など、様々なタイプのインクが登場してきている。
【０００３】
このようなインクは、一般的な水系インクに比べ、アルカリ性あるいは酸性が強かったり、また、反応性が高く、インクが他と反応してアンモニアなどの有害なガスが発生したりして、インクを貯蔵するインクタンクなどのインクジェット記録装置の各部品を腐食させてしまうことがあった。
【０００４】
そこで、インクジェット記録装置の各部品の腐食を防止する手段として、例えば、特許文献２には、簡単かつ安価な方法で、インクに侵されないインクタンクを提供するとして、インクタンクの内部のインクと接する内面にダイヤモンドライクカーボンの膜が形成されているインクタンクが開示されている。
【０００５】
しかしながら、上記の構成では、インクタンクの内面にダイヤモンドライクカーボンの膜を形成する工程が複雑であり、また、ダイヤモンドライクカーボンの膜が形成できるインクタンクの材質は限られていた。
【先行技術文献】
【特許文献】
【０００６】
【特許文献１】特許第４６７３２１９号公報
【特許文献２】特開２００６−００１２３４号公報
【発明の概要】
【発明が解決しようとする課題】
【０００７】
本発明は、インクやインクから発生する有害なガスにより腐食をおこさず、インクに侵されないインクタンクを備えるインクジェット記録装置を提供することを目的とする。
【課題を解決するための手段】
【０００８】
本発明の一側面は、記録媒体を搬送する搬送部と、所定のインクを貯留する第一タンクと、前記第一タンクより供給されるインクを貯留する第二タンクと、前記第二タンクより供給されるインクを前記記録媒体に吐出するインクジェットヘッドと、前記第二タンクと前記インクジェットヘッドとが搭載されるキャリッジと、を備えるインクジェット記録装置において、前記第二タンクの中の少なくとも１つのタンクの材質が樹脂含浸黒鉛材である、インクジェット記録装置である。
【０００９】
このインクジェット記録装置は、次のようにしてもよい。前記樹脂含浸黒鉛材は、ＪＩＳ  Ｚ  ２３３３にて規定されるアンモニア漏れ試験でリークがないと判定される黒鉛材である、ようにしてもよい。また、全ての前記第二タンクの材質が樹脂含浸黒鉛材である、ようにしてもよい。さらには、前記記録媒体の搬送方向に直交する方向に前記キャリッジを往復移動させる移動部を備えるシリアル型インクジェット記録装置、としてもよい。
【発明の効果】
【００１０】
本発明によれば、インクやインクから発生する有害なガスにより腐食をおこさず、インクに侵されないインクタンクを備えるインクジェット記録装置を得ることができる。
【図面の簡単な説明】
【００１１】
【図１】インクジェット記録装置の概略構成の一例を示す斜視図である。
【図２】インクジェット記録装置の概略構成の一例を示す断面図である。
【発明を実施するための形態】
【００１２】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１３】
インクジェット記録装置１について、図１を参照して説明する。インクジェット記録装置１では、記録媒体１１が搬送され、記録媒体１１の記録面１２に画像が記録される。記録媒体１１としては、例えば、布帛又は建築用資材が例示される。本実施形態では、記録媒体１１が長尺状の布帛である場合を例に説明する。また、画像の記録に用いられるインク色は、ブラック、マゼンタ、イエロー及びシアンの４色とする。インク色は、これら以外の色であってもよい。インク色数は、３色以下又は５色以上としてもよい。図１で搬送方向の下流側に図示された記録媒体１１の部分に付した網点模様は、記録媒体１１に記録された画像に対応する。
【００１４】
インクジェット記録装置１は、図１に示すように、搬送部１０と、記録部２０と、移動部４０と、第一タンク（メインタンク）５０Ｋ，５０Ｍ，５０Ｙ，５０Ｃ，５０Ｇと、供給流路５１Ｋ，５１Ｍ，５１Ｙ，５１Ｃ，５１Ｇと、回収流路５２Ｋ，５２Ｍ，５２Ｙ，５２Ｃ，５２Ｇを備える。
【００１５】
搬送部１０は、記録媒体１１を、記録媒体１１の長手方向に沿って搬送する。搬送部１０によって搬送される記録媒体１１は、記録部２０を通過する。本実施形態では、搬送部１０によって記録媒体１１が搬送される方向を「搬送方向」という。搬送方向は、記録媒体１１の長手方向に沿った方向であって、記録媒体１１の短手方向に直交する方向である。記録媒体１１の短手方向は、記録媒体１１の幅方向であって、後述するように記録部２０が移動部４０により往復移動される方向（主走査方向）に一致する。本実施形態では、搬送方向及びこれと反対方向を、記録媒体１１の長手方向に準じ「長手方向」という。なお、搬送方向及びこれと反対方向は、前述した主走査方向に対して「副走査方向」と称されることもある。搬送方向及びこれと反対方向のそれぞれに直交する方向を、記録媒体１１の短手方向に準じ「短手方向」という。
【００１６】
記録部２０は、インクジェットヘッド２１と、第二タンク（サブタンク）３０と、キャリッジ３５を備える。インクジェットヘッド２１Ｋは、ブラックインクを吐出するインクジェットヘッドである。インクジェットヘッド２１Ｍは、マゼンタインクを吐出するインクジェットヘッドである。インクジェットヘッド２１Ｙは、イエローインクを吐出するインクジェットヘッドである。インクジェットヘッド２１Ｃは、シアンインクを吐出するインクジェットヘッドである。インクジェットヘッド２１Ｇは、記録媒体１１に様々な機能性を付与するための薬剤（例えば、炭酸グアニジン）を含むインクを吐出するインクジェットヘッドである。本実施形態では、インクジェットヘッド２１Ｋ，２１Ｍ，２１Ｙ，２１Ｃ，２１Ｇを区別せず、又は、これらを総称する場合、「インクジェットヘッド２１」という。
【００１７】
キャリッジ３５には、インクジェットヘッド２１Ｋ，２１Ｍ，２１Ｙ，２１Ｃ，２１Ｇが所定の位置に位置決めされた状態でそれぞれ搭載される。各インクジェットヘッドの配列順序は、図１とは異なる順序としてもよい。これらの配列順序は、諸条件を考慮して適宜決定される。
【００１８】
移動部４０は、記録部２０を短手方向に往復移動させる。移動部４０は、２個のプーリ４１，４２と、タイミングベルト４３を含む。２個のプーリ４１，４２は、搬送部１０を基準として、短手方向の両側にそれぞれ設けられる。例えば、プーリ４１にはモータ（不図示）が連結され、プーリ４２は、回転自在に支持される。タイミングベルト４３は、張力が作用した状態でプーリ４１，４２に架け渡される。タイミングベルト４３には、キャリッジ３５に固定された支持部４４を介して記録部２０が取り付けられる。
【００１９】
インクジェット記録装置１で画像が記録される場合、プーリ４１に連結されたモータが時計回りと反時計回りに往復して回転する。そして、モータの回転に伴い、プーリ４１が左右両側に往復して回転する。図１でプーリ４１の内側に示す「弧状の矢印」は、プーリ４１の回転方向を示す。モータが所定の方向に回転することでプーリ４１が左回転すると、タイミングベルト４３も左回転する。プーリ４２は、左回転するタイミングベルト４３に従動して回転する。これに伴い、記録部２０は、短手方向の第二側から第一側に移動する。記録部２０が短手方向の第一側の移動端に到達すると、モータの回転方向は反転し、プーリ４１は、右回転する。プーリ４１が右回転すると、タイミングベルト４３も右回転する。プーリ４２は、右回転するタイミングベルト４３に従動して回転する。これに伴い、記録部２０は、短手方向の第一側から第二側に移動する。記録部２０が短手方向の第二側の移動端に到達すると、モータの回転方向は再度反転し、プーリ４１は、再度左回転する。移動部４０による記録部２０の短手方向への往復移動は、画像の記録が終了するまで繰り返される。
【００２０】
第一タンク５０Ｋは、ブラックインクを貯留するメインタンクである。供給流路５１Ｋは、第一タンク５０Ｋとインクジェットヘッド２１Ｋを繋ぐ。回収流路５２Ｋは、インクジェットヘッド２１Ｋと第一タンク５０Ｋを繋ぐ。第一タンク５０Ｍは、マゼンタインクを貯留するメインタンクである。供給流路５１Ｍは、第一タンク５０Ｍとインクジェットヘッド２１Ｍを繋ぐ。回収流路５２Ｍは、インクジェットヘッド２１Ｍと第一タンク５０Ｍを繋ぐ。第一タンク５０Ｙは、イエローインクを貯留するメインタンクである。供給流路５１Ｙは、第一タンク５０Ｙとインクジェットヘッド２１Ｙを繋ぐ。回収流路５２Ｙは、インクジェットヘッド２１Ｙと第一タンク５０Ｙを繋ぐ。第一タンク５０Ｃは、シアンインクを貯留するメインタンクである。供給流路５１Ｃは、第一タンク５０Ｃとインクジェットヘッド２１Ｃを繋ぐ。回収流路５２Ｃは、インクジェットヘッド２１Ｃと第一タンク５０Ｃを繋ぐ。
【００２１】
第一タンク５０Ｇは、薬剤を含むインクを貯留するメインタンクである。供給流路５１Ｇは、第一タンク５０Ｇとインクジェットヘッド２１Ｇを繋ぐ。回収流路５２Ｇは、インクジェットヘッド２１Ｇと第一タンク５０Ｇを繋ぐ。また、第一タンク５０Ｋ，５０Ｍ，５０Ｙ，５０Ｃ，５０Ｇの材質については、強度、腐食防止、コスト等の点を考慮し、例えば、ステンレス製のインクタンクが挙げられる。
【００２２】
図１では、供給流路５１Ｋ，５１Ｍ，５１Ｙ，５１Ｃ，５１Ｇ及び回収流路５２Ｋ，５２Ｍ，５２Ｙ，５２Ｃ，５２Ｇの図示を簡略化している。供給流路５１Ｋ，５１Ｍ，５１Ｙ，５１Ｃ，５１Ｇ及び回収流路５２Ｋ，５２Ｍ，５２Ｙ，５２Ｃ，５２Ｇは、記録部３０の短手方向への往復移動に対応可能な状態で設けられる。本実施形態では、第一タンク５０Ｋ，５０Ｍ，５０Ｙ，５０Ｃ，５０Ｇを区別せず、又は、これらを総称する場合、「第一タンク５０」という。供給流路５１Ｋ，５１Ｍ，５１Ｙ，５１Ｃ，５１Ｇを区別せず、又は、これらを総称する場合、「供給流路５１」という。回収流路５２Ｋ，５２Ｍ，５２Ｙ，５２Ｃ，５２Ｇを区別せず、又は、これらを総称する場合、「回収流路５２」という。
【００２３】
図２は、インクジェット記録装置１の概略構成を示す断面図である。図２では、インク色を区別することなく説明する。インクジェット記録装置１は、第一タンク（メインタンク）５０と、記録部２０と、供給流路５１と、回収流路５２と、送液部５５と、補給流路５６と、補給弁５７と、制御装置６０を備える。
【００２４】
補給流路５６には、第一タンク５０から供給流路５１に供給されるインクが流れる。補給弁５７は、補給流路５６に設けられる。補給弁５７は、電磁弁であり、補給流路５６を開閉する。送液部５５は、供給流路５１にインクを流す。送液部５５としては、送液用の公知のポンプが例示される。
【００２５】
制御装置６０は、制御部６１と、接続インターフェース６２を備える。実施形態では、接続インターフェース６２を、「接続Ｉ／Ｆ６２」と記載する。制御部６１は、インクジェット記録装置１で実行される各種の動作を制御する。例えば、制御部６１は、記録部２０からのインクの吐出を制御する。制御部６１は、補給弁５７の開閉を制御する。制御部６１は、例えば、ＣＰＵと、記憶部と、ＲＡＭを含む。ＣＰＵは、演算処理を実行する。記憶部は、例えば、不揮発性のメモリ及び／又はハードディスクである。記憶部には、インクジェット記録装置１で実行される各種の動作用のプログラムが記憶される。ＲＡＭは、ＣＰＵが記憶部に記憶されたプログラムを実行する際の作業領域となる。
【００２６】
接続Ｉ／Ｆ６２には、補給弁５７と後述する排気弁７２が接続される。この他、接続Ｉ／Ｆ６２には、検出器３６が接続される。制御部６１から出力される開放信号と閉鎖信号は、接続Ｉ／Ｆ６２から、補給弁５７と排気弁７２に適宜出力される。検出器４０から出力される液面レベル信号は、接続Ｉ／Ｆ６２を介して制御装置６０に入力される。液面レベル信号は、接続Ｉ／Ｆ６２から制御部６１に出力される。
【００２７】
記録部２０は、インクジェットヘッド２１と、第二タンク（サブタンク）３０と、キャリッジ３５を含む。記録部２０では、第二タンク３０は、インクジェットヘッド２１の鉛直方向の上側に設けられる。インクジェットヘッド２１は、第二タンク３０が鉛直方向の上側に設けられた状態で、キャリッジ３５に搭載される。インクジェットヘッド２１には、複数のノズル２２と流入口２３と流出口２４と内部流路２５が形成される。記録部２０では、インクは、インクジェットヘッド２１に形成された複数のノズル２２から吐出される。吐出されたインクは、記録媒体に着弾する。着弾したインクは、画像を形成する。図２では、ノズル２２の数は、１２個とされている。ノズル２２の数と配置は、諸条件を考慮して適宜決定される。
【００２８】
インクジェットヘッド２１では、継手２８が流入口２３に固定される。継手２８には、第二タンク３０に接続された接続流路３４が取り付けられる。即ち、記録部２０では、第二タンク３０とインクジェットヘッド２１が、接続流路３４と継手２８を介して通じ合う。インクジェットヘッド２１では、継手２９が流出口２４に固定される。継手２９は、インクジェットヘッド２１と回収流路５２を接続する。
【００２９】
第二タンク３０からインクジェットヘッド２１に供給されるインクは、接続流路３４と継手２８を流れて、流入口２３からインクジェットヘッド２１に流入する。インクジェットヘッド２１に供給されたインクは、ノズル２２から吐出され、又は流出口２４から流出する。内部流路２５は、本流部２６と複数の支流部２７を含む。本流部２６は、流入口２３と流出口２４を繋ぐ。支流部２７は、本流部２６から分岐し、ノズル２２に繋がる。即ち、インクは、流入口２３からインクジェットヘッド２１に流入し、本流部２６を流出口２４の側に流れ、その後、流出口２４から回収流路５２に流出する。本流部２６を流れるインクの一部は、支流部２７に流入し、ノズル２２の側に流れる。
【００３０】
第二タンク３０は、インクジェットヘッド２１に供給されるインクを貯留する。第二タンク３０では、インクは、貯留室３１に貯留される。貯留室３１には、インクが貯留された状態で気液界面が形成される。第二タンク３０は、排気流路７１を介して減圧装置７０に繋がる。減圧装置７０としては、真空ポンプが例示される。減圧装置７０は、貯留室３１からエアを吸引し、貯留室３１の気圧を大気圧より低い圧力（負圧）とする。排気流路７１には、排気弁７２が設けられる。排気弁７２は、電磁弁であり、排気流路７１を開閉する。第二タンク３０は、更に、給気流路を介して圧縮装置に繋がる。圧縮装置は、貯留室３１に圧縮されたエアを供給し、貯留室３１の気圧を大気圧より高い圧力とする。給気流路には、給気弁が設けられる。給気弁は、電磁弁であり、給気流路を開閉する。即ち、第二タンク３０では、インクが貯留された状態の貯留室３１の気圧が、減圧装置７０と圧縮装置によって調整される。図２では、圧縮装置と給気流路と給気弁の図示は、省略されている。
【００３１】
第二タンク３０には、検出器３６が設けられる。検出器３６は、第二タンク３０に貯留されたインクの量を検出する。検出器３６としては、第二タンク３０に貯留されたインクの量を検出できる公知のセンサが採用される。例えば、検出器３６としては、公知の液面センサが採用される。
【００３２】
第一タンク５０Ｇより供給される薬剤を含むインクを貯留する第二タンク３０（３０Ｇ）の材質は、タンクの耐腐食性の観点から、樹脂を含浸させた黒鉛材（樹脂含浸黒鉛材）がよい。また、樹脂含浸黒鉛材は他の材料と比べても軽量であるため、キャリッジ３５に搭載される記録部２０の軽量化にもつながる。中でも、母材がエポキシ系樹脂である炭素繊維強化プラスチック（ＣＦＲＰ）がより好ましい。このような樹脂含浸黒鉛材は、東海カーボン（株）、東洋炭素（株）、（株）レイホー製作所、東京炭素工業（株）、などより上市されている。
【００３３】
樹脂含浸黒鉛材については、ＪＩＳ  Ｚ  ２３３３にて規定されるアンモニア漏れ試験でリークがないと判定されるレベルのものが好ましい。ＪＩＳ  Ｚ  ２３３３にて規定されるアンモニア漏れ試験でリークがないと判定されるレベルであれば、タンクからアンモニアのような有害なガスが漏れ出るおそれがなく、安全である。
【００３４】
なお、薬剤を含むインクを貯留する第二タンク３０Ｇ以外の色インクを貯留する第二タンク３０（３０Ｋ，３０Ｍ，３０Ｙ，３０Ｃ）の材質については、必ずしも第二タンク３０Ｇと同じ材質である必要はないが、キャリッジ３５に搭載される記録部２０の軽量化という点からみれば、第二タンク３０Ｇと同じ材質の黒鉛材であることが好ましい。
【００３５】
また、第二タンク３０をインクジェットヘッド２１やフレーム等の固定部材に固定する場合、ねじ止めにて固定をすることがあるが、樹脂含浸黒鉛材は機械的強度が低い為、インクタンクに直接、ねじ加工をおこなうと、インクタンクに割れや欠けを生じてしまうおそれがある。そのため、樹脂含浸黒鉛材に直接、ねじ加工をおこなうのではなく、黒鉛材の一部に金属を埋め込み、その金属にネジ部を構成することが好ましい。このようなねじ部材としては、商品名  エンザート（登録商標）がケー・ケー・ヴィーコーポレーション（株）より上市されている。
【００３６】
図２において、供給流路５１と回収流路５２の近傍に示す矢印は、循環されるインクが流れる方向を示す。実施形態では、前述の方向を、「循環方向」という。インクジェット記録装置１では、供給流路５１と回収流路５２は、円管状の部材によって形成されている。従って、供給流路５１と回収流路５２において、インクが流れる各流路の領域の断面は、円形となる。但し、供給流路５１と回収流路５２の断面形状は、円形とは異なる所定の形状であってもよい。供給流路５１と回収流路５２の断面形状は、諸条件を考慮して適宜決定される。供給流路５１と回収流路５２を形成する部材の材質は、例えば、樹脂製又は金属製とされる。
【００３７】
供給流路５１は、記録部２０と繋がる。供給流路５１には、記録部２０に流入するインクが流れる。供給流路５１の第一端部は、送液部５５の流出口に接続される。供給流路５１の第二端部は、第二タンク３０に接続される。即ち、供給流路５１は、送液部５５と記録部２０を繋ぐ。送液部５５から流出したインクは、供給流路５１を流れて記録部２０の第二タンク３０に流入する。
【００３８】
回収流路５２は、記録部２０と繋がる。回収流路５２には、記録部２０から流出したインクが流れる。回収流路５２の第三端部は、流出口２４に固定された継手２９に取り付けられる。回収流路５２の第四端部は、送液部５５の流入口に接続される。即ち、回収流路５２は、記録部２０と送液部５５を繋ぐ。記録部２０のインクジェットヘッド２１から流出したインクは、回収流路５２を流れて送液部５５に流入する。回収流路５２には、補給流路５６が接続される。
【００３９】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【００４０】
（１）上記では記録媒体１１に様々な機能性を付与するための薬剤を含むインクを例に説明したが、色材を含むインクが紫外線硬化型インクである場合であってもよい。その場合には、第二タンク３０Ｋ，３０Ｍ，３０Ｙ，３０Ｃの４つのタンクに紫外線硬化型インクが貯留され、第二タンク３０Ｋ，３０Ｍ，３０Ｙ，３０Ｃの４つのタンクの材質をすべて樹脂含浸黒鉛材とするとよい。その他にも、インクタンクを腐食させるおそれが高いインクを使用する場合には、第二タンク３０の材質を樹脂含浸黒鉛材とするとよい。
【００４１】
インクタンクを腐食させるおそれが高いインクとしては、上記した炭酸グアニジンを含むインク以外でも、例えば、紫外線硬化型インクや有機溶媒を含む水系インクなどが挙げられる。
【００４２】
紫外線硬化型インクには、ラジカル重合型のものやカチオン重合型のものがある。ラジカル重合型の紫外線硬化型インクは、主に、染料や顔料などの色材、反応性モノマー、反応性オリゴマー、光重合開始剤を含む。カチオン重合型の紫外線硬化型インクは、主に、染料や顔料などの色材、カチオン重合性化合物、光重合開始剤を含む。
【００４３】
有機溶媒を含む水系インクは、染料や顔料などの色材、色材を分散させるための溶媒として、水と、水溶性有機溶媒とを含む。有機溶媒としては、メタノールなどのアルコール類；ジエチレングリコールなどのグリコール類；グリセリン、２−ピロリドン、Ｎ−メチルピロリドンなどが例示される。
【００４４】
（２）上記では回収流路５２を備えるインク循環型のインクジェット記録装置を例にして説明したが、インクジェット記録装置１は供給流路５１のみで回収流路５２がない（インクが循環しないタイプの）ものであってもよい。
【００４５】
（３）上記ではインクジェット記録装置１として、シリアル型インクジェット記録装置を例に説明した。インクジェット記録装置は、ライン型インクジェット記録装置であってもよい。シリアル型又はライン型のインクジェット記録装置は、既に実用化された形式であり、共に公知である。従って、これらに関するこの他の説明は、省略する。
【００４６】
（４）第一タンク５０および／または第二タンク３０に、加熱部を設けるようにしてもよい。加熱部としては、公知の電気ヒータが例示される。例えば、加熱部としては、公知のシート状をしたラバーヒータが採用される。加熱部として、シート状をしたラバーヒータが採用される場合、このラバーヒータは、タンクの外周面の全周に貼り付けられる。加熱部を設けることにより、インクの温度をノズル２２からの吐出に適した温度に調整することができる。この他、供給流路５１および／または回収流路５２の所定の範囲に加熱部を設け、インクを加熱するようにしてもよい。加熱部には、電力が電源から供給される。電源は、例えば、制御装置６０に設けられる。
【符号の説明】
【００４７】
１    インクジェット記録装置
１０  搬送部    １１  記録媒体    １２  記録面
２０  記録部    
２１，２１Ｋ，２１Ｍ，２１Ｙ，２１Ｃ，２１Ｇ  インクジェットヘッド
２２  ノズル    ２３  流入口    ２４  流出口    ２５  内部流路
２６  本流部    ２７  支流部    ２８，２９  継手
３０  第二タンク（サブタンク）
３１  貯留室    ３４  接続流路    ３５  キャリッジ    ３６  検出器
４０  移動部    
４１，４２  プーリ    ４３  タイミングベルト    ４４  支持部
５０，５０Ｋ，５０Ｍ，５０Ｙ，５０Ｃ，５０Ｇ  第一タンク（メインタンク）
５１，５１Ｋ，５１Ｍ，５１Ｙ，５１Ｃ，５１Ｇ  供給流路
５２，５２Ｋ，５２Ｍ，５２Ｙ，５２Ｃ，５２Ｇ  回収流路
５５  送液部    ５６  補給流路    ５７  補給弁
６０  制御装置    ６１  制御部    ６２  接続インターフェース（接続Ｉ／Ｆ）
７０  減圧装置    ７１  排気流路    ７２  排気弁
【図１】
2018103468.tif 000003
【図２】
2018103468.tif 000004